(57)【要約】【課題】上枠の長手方向に移動する開閉体が上枠から外れるのを容易に抑制し、建具の上枠側で、開閉体が倒れるのを抑制する。【解決手段】建具１は、上枠５と、上枠５の長手方向に移動する開閉体２０を備える。開閉体２０は、上枠５の見込み方向の一方側に突出する突起部６０を有する。上枠５は、突起部６０に対して上枠５の見込み方向の一方側に配置される覆い部５３と、覆い部５３から上枠５の見込み方向の他方側に突出する外れ止め部５４を有する。外れ止め部５４は、突起部６０の下方に配置されて、突起部６０の下方への移動を規制する。【選択図】  図２
2018204411.tif 000002
【特許請求の範囲】
【請求項１】
上枠と、前記上枠の長手方向に移動する開閉体と、を備えた建具であって、
前記開閉体は、前記上枠の見込み方向の一方側に突出する突起部を有し、
前記上枠は、前記突起部に対して前記上枠の見込み方向の一方側に配置される覆い部と、前記覆い部から前記上枠の見込み方向の他方側に突出し、前記突起部の下方に配置されて前記突起部の下方への移動を規制する外れ止め部と、を有する建具。
【請求項２】
請求項１に記載された建具において、
前記上枠は、上枠本体と、前記覆い部及び前記外れ止め部を含み前記上枠本体に取り付けられたカバー部材と、を有する建具。
【請求項３】
請求項１又は２に記載された建具において、
前記突起部は、前記外れ止め部の上方に配置される下面部を有し、
前記外れ止め部は、前記上枠の長手方向に沿って形成されて、前記突起部の下面部と対向する建具。
【請求項４】
請求項１ないし３のいずれかに記載された建具において、
前記突起部は、前記覆い部と前記外れ止め部に覆われる位置で、前記上枠の長手方向に移動する建具。
【請求項５】
請求項１ないし４のいずれかに記載された建具において、
前記上枠は、前記上枠の見込み方向への前記開閉体の移動を規制する規制部を有し、
前記開閉体が前記規制部に接触する状態で、前記突起部は、前記外れ止め部の上方に配置される建具。
【発明の詳細な説明】
【技術分野】
【０００１】
本発明は、上枠の長手方向に移動する開閉体を備えた建具に関する。
【背景技術】
【０００２】
ケンドン式の開閉体を枠体に取り付けるときには、開閉体を斜めにした状態で上枠に取り付け、開閉体を上方に移動させる。続いて、開閉体を垂直にした状態で、開閉体を下方に移動させて、開閉体を下枠に取り付ける。これにより、開閉体は、枠体に移動可能に取り付けられ、上枠の長手方向に移動する。ところが、ケンドン式の開閉体が衝撃を受けると、開閉体が上方に移動して、下枠と上枠から開閉体が外れる虞がある。そこで、従来、上外れ止め具と下外れ止め具により、障子（開閉体）の上方移動を規制するサッシが知られている（特許文献１参照）。
【０００３】
特許文献１に記載された従来のサッシでは、開閉体の上方移動を規制することで、開閉体が下枠から外れるのを抑制し、サッシの下枠側で、開閉体が倒れるのを抑制する。しかしながら、従来のサッシでは、開閉体の上方移動を規制するために、２つの外れ止め具を設けており、サッシの構造が複雑になることがある。また、サッシの外観等の観点から、外れ止め具が見え難い位置に設けられており、外れ止め具が機能を発揮する状態であるのか視認し難い。外れ止め具と接触する部分と外れ止め具との間の隙間を調整する作業も行い難く、隙間の調整作業に手間がかかる虞もある。
【０００４】
これに対し、下枠の段差の低減が求められる建具（例えば、浴室用のドア）では、下枠の上下方向の寸法が小さくなるのに伴い、下外れ止め具を設け難くなり、下枠における開閉体の取付部の寸法も小さくなる。そのため、下枠側で、開閉体が倒れるのを抑制するのが困難になる。また、上枠側で、上外れ止め具と開閉体の間の隙間を、より正確に調整する必要があり、隙間の調整作業の手間が増加する虞もある。
【先行技術文献】
【特許文献】
【０００５】
【特許文献１】特許第４８７０９６６号公報
【発明の概要】
【発明が解決しようとする課題】
【０００６】
本発明は、前記従来の問題に鑑みなされたもので、その目的は、上枠の長手方向に移動する開閉体が上枠から外れるのを容易に抑制し、建具の上枠側で、開閉体が倒れるのを抑制することである。
【課題を解決するための手段】
【０００７】
本発明は、上枠と、前記上枠の長手方向に移動する開閉体と、を備えた建具である。前記開閉体は、前記上枠の見込み方向の一方側に突出する突起部を有する。前記上枠は、前記突起部に対して前記上枠の見込み方向の一方側に配置される覆い部と、前記覆い部から前記上枠の見込み方向の他方側に突出し、前記突起部の下方に配置されて前記突起部の下方への移動を規制する外れ止め部と、を有する。
【発明の効果】
【０００８】
本発明によれば、上枠の長手方向に移動する開閉体が上枠から外れるのを容易に抑制でき、建具の上枠側で、開閉体が倒れるのを抑制することができる。
【図面の簡単な説明】
【０００９】
【図１】第１実施形態の建具の正面図である。
【図２】第１実施形態の建具の断面図である。
【図３】第１実施形態の建具の断面図である。
【図４】第１実施形態の建具の断面図である。
【図５】第１実施形態の上枠を含む建具の一部を示す断面図である。
【図６】第１実施形態の建具における上枠側の部分を示す図である。
【図７】第１実施形態の建具において突起部が外れ止め部に接触した状態を示す断面図である。
【図８】図７の一部を示す断面図である。
【図９】第２実施形態の上枠を含む建具の一部を示す断面図である。
【図１０】第２実施形態の上枠を含む建具の一部を示す断面図である。
【図１１】第２実施形態の建具において突起部が外れ止め部に接触した状態を示す断面図である。
【図１２】図１１の一部を示す断面図である。
【発明を実施するための形態】
【００１０】
本発明の建具の一実施形態について、図面を参照して説明する。
本実施形態の建具は、スライド式の開閉体を備えた建具である。以下では、片引戸を例にとり、建具の２つの実施形態について説明する。また、建具は、浴室用のドアであり、浴室の出入口に設置される。
【００１１】
（第１実施形態）
図１は、第１実施形態の建具１の正面図であり、脱衣室側からみた建具１の概略構成を模式的に示している。図１において、水平方向は左右方向であり、垂直方向は上下方向である。
図示のように、建具１は、外動引戸であり、枠体４と、枠体４に固定された固定体１０と、枠体４に開閉可能に取り付けられた開閉体２０を備えている。枠体４は、建物の開口部に設置される方形状の引戸枠であり、方形状の固定体１０と開閉体２０を囲む。枠体４の内側部は、開口部４Ａと、固定体１０により閉鎖される閉鎖部４Ｂからなる。枠体４の内側部において、開口部４Ａは、左右方向の一方側部であり、閉鎖部４Ｂは、左右方向の他方側部である。
【００１２】
固定体１０が枠体４の閉鎖部４Ｂに配置され、固定体１０と開閉体２０が枠体４の奥行方向にずらして配置される。開閉体２０は、スライドにより移動する可動体（障子）であり、枠体４内の移動領域で、所定の移動方向に移動する。移動領域は、開閉体２０のスライド領域であり、移動方向は、開閉体２０のスライド方向（ここでは、左右方向）である。スライド移動により、開閉体２０は、枠体４の開口部４Ａと閉鎖部４Ｂとに移動して開閉する。開閉体２０により、枠体４の開口部４Ａが開閉される。
【００１３】
開口部４Ａの閉鎖時に、開閉体２０は、移動方向の一方側（閉鎖方向）に移動（スライド）して、枠体４の開口部４Ａに配置される。これにより、開閉体２０は、枠体４の開口部４Ａを閉鎖する全閉位置に配置される。開口部４Ａの開放時に、開閉体２０は、移動方向の他方側（開放方向）に移動して、枠体４の閉鎖部４Ｂに配置される。これにより、開閉体２０は、枠体４の開口部４Ａを開放する全開位置に配置されて、枠体４の奥行方向において固定体１０と重なる。
【００１４】
図２〜図４は、第１実施形態の建具１の断面図である。図２は、建具１を図１のＸ１−Ｘ１線で切断した縦断面図であり、枠体４の開口部４Ａにおける断面を示している。図３は、建具１を図１のＸ２−Ｘ２線で切断した縦断面図であり、枠体４の閉鎖部４Ｂにおける断面を示している。図４は、建具１を図１のＸ３−Ｘ３線で切断した横断面図であり、開閉体２０により枠体４の開口部４Ａを閉鎖した状態を示している。
【００１５】
図示のように、建具１は、建物３０の開口部に設置されて、建物３０の２つの空間の間に配置される。２つの空間は、開閉体２０の両側に位置し、開閉体２０により仕切られる。ここでは、２つの空間のうち、一方の空間が脱衣室であり、他方の空間が浴室である。従って、建具１の一方側は脱衣室側であり、建具１の他方側は浴室側である。枠体４の内側部で、固定体１０が浴室側に配置され、開閉体２０が脱衣室側に配置される。開閉体２０は、固定体１０よりも脱衣室側で移動する。
【００１６】
開閉体２０は、パネル体２１と、パネル体２１を保持する框体２２と、開閉体２０の移動時に用いられるハンドル２３（図１参照）を有する。框体２２は、枠組みされた４つの框２４〜２７（上框２４、下框２５、一対の縦框２６、２７）を有する。框２４〜２７は、框体２２を構成する長尺な框材であり、例えば、押出成形により形成されて、方形状に組み合わされる。パネル体２１は、方形状の面材であり、框体２２に嵌め込まれる。
【００１７】
枠体４は、枠組みされた４つの枠５〜８（上枠５、下枠６、一対の縦枠７、８）を有し、ネジ３１により、建物３０の開口縁部３２に取り付けられる。枠５〜８は、枠体４を構成する長尺な枠材であり、例えば、押出成形により形成され、方形状に組み合わされる。方立１１（図４参照）が、一対の縦枠７、８の間の中間位置で、一対の縦枠７、８と平行に配置される。方立１１は、上枠５と下枠６に固定された区画材であり、枠体４の内側部を２つの部分（開口部４Ａ、閉鎖部４Ｂ）に区画する。枠体４と方立１１により、方形状の開口部４Ａが形成される。固定体１０は、方形状のパネル体であり、上枠５、下枠６、縦枠８、及び、方立１１に取り付けられて、閉鎖部４Ｂに保持される。
【００１８】
方立１１は、脱衣室側に形成された保持部１２を有する。タイト材３３が、方立１１の保持部１２に保持されて、開閉体２０の縦框２７に接触する。一方の縦枠７は、枠体４の開口部４Ａ側に位置する開口部側縦枠であり、開口部４Ａの内側に向かって突出する２つの保持部７Ａを有する。２つのタイト材３４が、それぞれ縦枠７の保持部７Ａに保持されて、開閉体２０の縦框２６に接触する。他方の縦枠８は、枠体４の閉鎖部４Ｂ側に位置する閉鎖部側縦枠である。
【００１９】
下枠６は、開閉体２０の脱衣室側に形成された保持部６Ａと、保持部６Ａの浴室側に形成されたレール（下レール）６Ｂを有する。保持部６Ａとレール６Ｂは、下枠６の長手方向に沿って形成される。タイト材３５が、下枠６の保持部６Ａに保持されて、開閉体２０の下框２５に接触する。レール６Ｂは、上方に突出する突片であり、開閉体２０の移動方向に沿って形成される。レール６Ｂは、開閉体２０をガイドするガイド部であり、下枠６の長手方向への開閉体２０の移動をガイドする。
【００２０】
開閉体２０の下框２５は、溝状の凹部２８と、凹部２８内に形成された保持部２９と、凹部２８内に取り付けられた複数の戸車（図示せず）を有する。凹部２８と保持部２９は、開閉体２０の下縁部（下框２５）の長手方向に沿って形成され、複数の戸車は、開閉体２０の下縁部の長手方向の複数箇所に設けられる。タイト材３６が、下框２５の保持部２９に保持されて、下枠６のレール６Ｂに接触する。複数の戸車は、下枠６のレール６Ｂに載置されて、レール６Ｂに沿って移動する。開閉体２０は、複数の戸車により、下枠６（レール６Ｂ）に移動可能に取り付けられ、レール６Ｂにより、下枠６の長手方向にガイドされる。また、開閉体２０は、レール６Ｂに沿ってスライドして、下枠６の長手方向に移動する。
【００２１】
上枠５は、上枠５のベース部である上枠本体５Ａと、開閉体２０の浴室側に形成された垂下片５Ｂと、枠体４の開口部４Ａ側に形成された通気路５Ｃと、通気路５Ｃを開閉する開閉弁５Ｄと、上枠本体５Ａに形成されたレール（上レール）５Ｅを有する。通気路５Ｃは、開閉体２０により仕切られた２つの空間（脱衣室、浴室）に開口して、２つの空間の間で通気を行う。開閉弁５Ｄは、上枠本体５Ａに取り付けられて、回動（図２の矢印Ｆ参照）により、通気路５Ｃを閉鎖する位置と、通気路５Ｃを開放する位置とに移動する。レール５Ｅは、上枠５の長手方向に沿って形成され、下枠６のレール６Ｂの上方に位置する。
【００２２】
開閉体２０は、上框２４に、開閉体２０の上面部に開口する溝部４０と、溝部４０を挟んで相対する一対の壁部４１、４２（第１壁部４１、第２壁部４２）と、上枠５のレール５Ｅと対向する保持部４３を有する。溝部４０、壁部４１、４２、及び、保持部４３は、開閉体２０の上縁部（上框２４）に設けられ、開閉体２０の上縁部の長手方向に沿って形成される。タイト材３７が、上框２４の保持部４３に保持されて、上枠５のレール５Ｅに接触する。
【００２３】
上枠５のレール５Ｅは、下方に突出する突片であり、開閉体２０の移動方向に沿って形成される。また、レール５Ｅは、開閉体２０をガイドするガイド部であり、上枠５の長手方向への開閉体２０の移動をガイドする。レール５Ｅは、開閉体２０の溝部４０に挿入されて、溝部４０内に配置される。開閉体２０は、溝部４０により、上枠５（レール５Ｅ）に移動可能に取り付けられ、レール５Ｅにより、上枠５の長手方向にガイドされる。また、開閉体２０は、レール５Ｅに沿ってスライドして、上枠５の長手方向に移動する。
【００２４】
開閉体２０の溝部４０は、一対の壁部４１、４２の間に凹状に形成され、レール５Ｅの下端部５Ｆ側の部分を収容する。上枠５の見込み方向（奥行方向）において、一対の壁部４１、４２は、溝部４０及びレール５Ｅの両側に位置し、レール５Ｅは、一対の壁部４１、４２の間に配置される。一対の壁部４１、４２は、それぞれレール５Ｅと接触する接触部４４、４５を有し、互いに対向する。接触部４４、４５は、溝部４０内で、開閉体２０の上面部側（溝部４０の開口部側）に形成され、レール５Ｅに向かって突出して、互いに対向する。
【００２５】
溝部４０及び上枠５のレール５Ｅに対して、第１壁部４１は、上枠５の見込み方向の一方側（ここでは、脱衣室側）に位置する一方側壁部（脱衣室側壁部）であり、第２壁部４２は、上枠５の見込み方向の他方側（ここでは、浴室側）に位置する他方側壁部（浴室側壁部）である。壁部４１、４２がレール５Ｅに接触することで、上枠５の見込み方向への開閉体２０の移動が規制される。従って、レール５Ｅは、開閉体２０の移動を規制する上枠５の規制部であり、開閉体２０に接触して、上枠５の見込み方向への開閉体２０の移動を規制する。具体的には、レール５Ｅは、第２壁部４２の接触部４５に接触して、上枠５の見込み方向の一方側への開閉体２０の移動を規制する。また、レール５Ｅは、第１壁部４１の接触部４４に接触して、上枠５の見込み方向の他方側への開閉体２０の移動を規制する。
【００２６】
上枠５は、ネジ１３により上枠本体５Ａに固定された連結部材１４と、上枠本体５Ａに着脱可能に取り付けられたカバー部材５０を有する。連結部材１４は、上枠５の長手方向の複数箇所に設けられて、開閉体２０の上方に配置される。カバー部材５０は、ネジ３８により、連結部材１４に固定されて、連結部材１４により、上枠本体５Ａに連結される。これにより、カバー部材５０は、上枠本体５Ａに取り付けられて、上枠５の長手方向に沿って配置される。開閉体２０は、上枠５の見込み方向の一方側に突出する突起部６０を有する。突起部６０は、開閉体２０の上縁部（上框２４）に設けられ、レール５Ｅに対して上枠５の見込み方向の一方側に配置されて、カバー部材５０により覆われる。
【００２７】
図５は、第１実施形態の上枠５を含む建具１の一部を示す断面図であり、カバー部材５０を上枠本体５Ａから分離させた状態を示している。
図示のように、ネジ３８を外した後に、カバー部材５０は、上枠本体５Ａから取り外されて、上枠本体５Ａから分離する。突起部６０は、ブロック状に形成された突起部材であり、ネジ６１により、開閉体２０に取り付けられる。また、突起部６０は、上枠５の見込み方向に沿って形成された平面状の下面部６２を有し、カバー部材５０と対向する。
【００２８】
建具１は、ケンドン式の建具である。カバー部材５０が上枠本体５Ａから取り外された状態で、開閉体２０は、上下方向に移動して、枠体４にケンドン式で取り付けられる。具体的には、開閉体２０を上下方向に対して斜めにした状態で、上枠５のレール５Ｅを開閉体２０の溝部４０内に配置して、開閉体２０を上枠５に取り付ける。続いて、開閉体２０を上方に移動させつつ、開閉体２０を上下方向に沿って配置する。その状態で、開閉体２０を下方に移動させて、開閉体２０を下枠６に取り付ける。これにより、開閉体２０が枠体４の上枠５と下枠６に移動可能に取り付けられる。その後、ネジ３８により、カバー部材５０を上枠本体６Ａに取り付ける。
【００２９】
カバー部材５０は、開閉体２０に対する外れ止め部材であり、上側部５１、取付部５２、覆い部５３、及び、外れ止め部５４を有する。上側部５１、取付部５２、覆い部５３、及び、外れ止め部５４は、一体に形成されるとともに、それぞれ板状に形成される。上側部５１と取付部５２は、開閉体２０よりも上方に配置され、覆い部５３は、開閉体２０よりも上方の位置から開閉体２０の突起部６０よりも下方の位置まで配置される。上側部５１は、屈曲形状に形成され、覆い部５３の上端部から上方に突出して、上枠５の見込み方向の他方側に屈曲する。
【００３０】
カバー部材５０の取付部５２は、貫通孔５５を有し、覆い部５３の上端部から上枠５の見込み方向の他方側に突出する。ネジ３８は、取付部５２の貫通孔５５内に配置された状態で、連結部材１４のネジ孔１５に固定される。取付部５２は、ネジ３８により、連結部材１４に固定され、連結部材１４を介して、上枠本体５Ａに取り付けられる（図２、図５参照）。その状態で、連結部材１４は、カバー部材５０の上側部５１と取付部５２の間の空間に収容されて、カバー部材５０により遮蔽される。また、取付部５２により、覆い部５３と外れ止め部５４を含むカバー部材５０が上枠本体５Ａに取り付けられる。覆い部５３は、上下方向に沿って配置され、外れ止め部５４は、上枠５の見付け方向に沿って配置される。
【００３１】
カバー部材５０の覆い部５３は、開閉体２０の突起部６０に対して、上枠５の見込み方向の一方側に配置され、上枠５の見込み方向において、突起部６０を覆う。突起部６０は、開閉体２０の覆い部５３と対向する部分に設けられて、覆い部５３に向かって突出する。突起部６０及び下面部６２は、外れ止め部５４の上方に配置される。突起部６０と覆い部５３の間、及び、突起部６０と外れ止め部５４の間には隙間が形成される。突起部６０は、覆い部５３及び外れ止め部５４に接触せずに、開閉体２０と一体に移動する。
【００３２】
カバー部材５０の外れ止め部５４は、覆い部５３の下端部に形成された突片（規制片）であり、覆い部５３の下端部から開閉体２０に向かって突出する。また、外れ止め部５４は、覆い部５３から上枠５の見込み方向の他方側に突出し、開閉体２０の突起部６０の下方に配置される。外れ止め部５４の先端部５６は、開閉体２０の一方側面２０Ａに対向する。先端部５６は、上枠５の見込み方向の他方側（開閉体２０側）に位置する外れ止め部５４の端部（突端部）であり、一方側面２０Ａは、上枠５の見込み方向の一方側に位置する開閉体２０の表面である。先端部５６と一方側面２０Ａの間には隙間が形成される。
【００３３】
開閉体２０及び突起部６０が下方に移動したときに、突起部６０がカバー部材５０の外れ止め部５４に接触し、外れ止め部５４により、突起部６０及び開閉体２０の下方への移動が規制される。外れ止め部５４は、突起部６０を受ける受け部であり、突起部６０及び開閉体２０を停止させる。突起部６０の下面部６２が、外れ止め部５４に接触し、外れ止め部５４により受けられる。その際、下面部６２は、先端部６３と根元部６４（図５参照）の間の部分で外れ止め部５４に接触する。先端部６３は、上枠５の見込み方向の一方側（覆い部５３側）に位置する下面部６２の端部（突端部）であり、根元部６４は、上枠５の見込み方向の他方側（レール５Ｅ側）に位置する下面部６２の端部（基端部）である。
【００３４】
図６は、第１実施形態の建具１における上枠５側の部分を示す図である。図６Ａは、上方からみた建具１の一部を示す断面図であり、図６Ｂは、脱衣室側からみた建具１の一部を示す正面図である。図６Ｂでは、建具１の隠れた部分を鎖線で示している。
図示のように、建具１は、上枠５と開閉体２０を備え、上枠５は、覆い部５３と外れ止め部５４を有する。突起部６０は、開閉体２０とともに上枠５の長手方向（図６では左右方向）に移動する。覆い部５３と外れ止め部５４は、突起部６０の移動領域の全体に配置される。
【００３５】
外れ止め部５４は、上枠５の長手方向に沿って形成されて、上下方向において、突起部６０の下面部６２と対向する。外れ止め部５４と突起部６０の下面部６２との間には隙間が形成される。突起部６０は、覆い部５３と外れ止め部５４に覆われる位置に配置され、カバー部材５０の各部５３、５４により覆われる位置で、開閉体２０の移動により、上枠５の長手方向に移動する。
【００３６】
図７は、第１実施形態の建具１において突起部６０が外れ止め部５４に接触した状態を示す断面図であり、図５と同様に、上枠５を含む建具１の一部を示している。
図示のように、開閉体２０が衝撃等を受けたときには、開閉体２０が下枠６のレール６Ｂから外れて、開閉体２０の下縁部が下枠６の見込み方向に移動することがある。このように、開閉体２０が下枠６から外れたときには、開閉体２０は、上下方向に対して斜めになり、突起部６０とともに下方に移動する。ここでは、開閉体２０は、下枠６に対して脱衣室側に外れる。
【００３７】
開閉体２０の突起部６０は、下方への移動に伴い、引っ掛かり部である外れ止め部５４に接触して、外れ止め部５４に引っ掛かる。突起部６０は、外れ止め部５４により支えられて、外れ止め部５４に保持される。その結果、開閉体２０が上枠５から外れるのが抑制される。このように、建具１は、上枠５と開閉体２０に設けられた外れ止め機構１６を備える。外れ止め機構１６は、少なくとも突起部６０、外れ止め部５４、及び、覆い部５３を有し、開閉体２０を上枠５に保持する。外れ止め機構１６により、開閉体２０が上枠５から外れるのが阻止されて、開閉体２０が倒れるのが抑制される。
【００３８】
開閉体２０が上枠５の規制部（レール５Ｅ）に接触する状態（規制部により開閉体２０の移動が規制された状態）で、開閉体２０の突起部６０は、外れ止め部５４の上方に配置される。開閉体２０が下枠６から外れたときには、開閉体２０がレール５Ｅに接触し、レール５Ｅにより、上枠５の見込み方向への開閉体２０の移動が規制される。その状態で、突起部６０が外れ止め部５４に引っ掛かる。開閉体２０は、外れ止め部５４とレール５Ｅにより支えられて上枠５に保持される。従って、外れ止め機構１６は、突起部６０、外れ止め部５４、及び、覆い部５３に加えて、規制部（レール５Ｅ）を有し、開閉体２０を保持することで、開閉体２０が上枠５から外れるのを抑制する。
【００３９】
図８は、図７の一部を示す断面図であり、上枠５の長手方向に直交する断面を示している。
図示のように、開閉体２０が下枠６から外れた状態で、開閉体２０の第１壁部４１の接触部４４が上枠５のレール５Ｅに接触し、突起部６０の下面部６２が外れ止め部５４の先端部５６に接触する。レール５Ｅの下端部５Ｆと外れ止め部５４の先端部５６の間隔をＫ１、開閉体２０の接触部４４と下面部６２の先端部６３の間の寸法をＫ２とする。この場合に、Ｋ１はＫ２より小さい（Ｋ１＜Ｋ２）。そのため、レール５Ｅと外れ止め部５４の間において、突起部６０を含む開閉体２０がレール５Ｅと外れ止め部５４の間の部分から抜けるのが抑制される。
【００４０】
以上説明したように、第１実施形態の建具１では、開閉体２０が上枠５から外れるのを容易に抑制でき、建具１の上枠５側で、開閉体２０が倒れるのを抑制することができる。開閉体２０が下枠６から外れたときでも、外れ止め部５４により突起部６０の移動を規制することで、開閉体２０の倒れを抑制することができる。外れ止め部５４を突起部６０の下方に配置することで、突起部６０の下方への移動が規制される。従って、開閉体２０及び突起部６０の上下方向の位置の調整が容易になり、又は、開閉体２０及び突起部６０の上下方向の位置の調整が不要になる。
【００４１】
覆い部５３により突起部６０が覆われているか否かに基づいて、突起部６０に対する外れ止め部５４の位置を判断することができる。また、覆い部５３により、外れ止め部５４による外れ止めの機能の状態を視認でき、外れ止めの機能が発揮される状態であるのか容易に判断することができる。開閉体２０の上下方向の位置の調整、又は、上枠５の反りにより、突起部６０が覆い部５３により覆われる位置で変位しても、突起部６０を外れ止め部５４に引っ掛けることができる。覆い部５３により、建具１の上枠５側の外観を向上させることもできる。
【００４２】
覆い部５３と外れ止め部５４は、カバー部材５０に設けられる。カバー部材５０を取り外した状態で、開閉体２０を上枠５に容易に取り付けることができる。また、突起部６０に対する覆い部５３と外れ止め部５４の配置を容易に行うことができる。外れ止め部５４を突起部６０の下面部６２と対向させることで、突起部６０を外れ止め部５４に、より確実に接触させることができる。
【００４３】
突起部６０は、覆い部５３と外れ止め部５４に覆われる位置で、上枠５の長手方向に移動する。そのため、突起部６０の移動領域のいずれの位置でも、外れ止め部５４により、突起部６０の下方への移動を規制することができる。上枠５のレール５Ｅにより、開閉体２０の移動を規制することで、突起部６０を下方の外れ止め部５４に、より確実に接触させることができる。
【００４４】
なお、開閉体２０が下枠６に対して浴室側に外れたときにも、開閉体２０の突起部６０が外れ止め部５４に接触して、開閉体２０が上枠５から外れるのが抑制される。また、開閉体２０の第２壁部４２の接触部４５が上枠５のレール５Ｅに接触し、レール５Ｅにより、上枠５の見込み方向への開閉体２０の移動が規制される。開閉体２０は、外れ止め部５４とレール５Ｅにより支えられて上枠５に保持される。
【００４５】
（第２実施形態）
次に、第２実施形態の建具について、第１実施形態の建具１と相違する事項を説明する。第２実施形態の建具に関し、第１実施形態の建具１の構成に相当する構成には、建具１の構成と同じ名称と符号を用い、第１実施形態の建具１と同じ事項の説明は省略する。
【００４６】
図９、図１０は、第２実施形態の上枠５を含む建具２の一部を示す断面図である。図１０は、カバー部材５０を上枠本体５Ａから分離させた状態を示している。
図示のように、建具２の上枠５は、レール５Ｅに替えて、上枠本体５Ａに形成された一対のガイド壁５Ｇ、５Ｈ（第１ガイド壁５Ｇ、第２ガイド壁５Ｈ）と、一対のガイド壁５Ｇ、５Ｈの間に凹状に形成されたガイド溝５Ｊを有する。一対のガイド壁５Ｇ、５Ｈは、下方に突出する突片（ガイド片）であり、上枠５の見込み方向において、互いに対向する。一対のガイド壁５Ｇ、５Ｈとガイド溝５Ｊは、上枠５の長手方向（開閉体２０の移動方向）に沿って形成され、一対のガイド壁５Ｇ、５Ｈは、ガイド溝５Ｊを挟んで相対する。
【００４７】
カバー部材５０が上枠本体５Ａから取り外された状態で、開閉体２０の上縁部は、ガイド溝５Ｊに挿入されて、ガイド溝５Ｊ内に配置される。これにより、開閉体２０の上縁部が一対のガイド壁５Ｇ、５Ｈの間に配置されて、開閉体２０が上枠５に移動可能に取り付けられる。その後、ネジ３８により、カバー部材５０が上枠本体６Ａに取り付けられる。一対のガイド壁５Ｇ、５Ｈは、開閉体２０をガイドするガイド部であり、上枠５の長手方向への開閉体２０の移動をガイドする。
【００４８】
上枠５の見込み方向において、一対のガイド壁５Ｇ、５Ｈは、ガイド溝５Ｊ及び開閉体２０の両側に位置する。開閉体２０は、一対のガイド壁５Ｇ、５Ｈにより、上枠５の長手方向にガイドされ、一対のガイド壁５Ｇ、５Ｈに沿ってスライドして、上枠５の長手方向に移動する。ガイド溝５Ｊ及び開閉体２０に対して、第１ガイド壁５Ｇは、上枠５の見込み方向の一方側（脱衣室側）に位置する一方側ガイド壁（脱衣室側ガイド壁）であり、第２ガイド壁５Ｈは、上枠５の見込み方向の他方側（浴室側）に位置する他方側ガイド壁（浴室側ガイド壁）である。
【００４９】
突起部６０は、第１ガイド壁５Ｇよりも下方に配置される。カバー部材５０は、中空部５７を有しており、上側部５１と取付部５２は、中空部５７の一部である。覆い部５３は、中空部５７から下方に突出し、第１ガイド壁５Ｇと突起部６０を覆う。開閉体２０は、ガイド壁５Ｇ、５Ｈに接触する接触部４６、４７を有する。一方の接触部４６は、上枠５の見込み方向の一方側に位置する開閉体２０の上角部に形成され、第１ガイド壁５Ｇに接触する。他方の接触部４７は、上枠５の見込み方向の他方側に位置する開閉体２０の上角部に形成され、第２ガイド壁５Ｈに接触する。
【００５０】
開閉体２０の接触部４６、４７がガイド壁５Ｇ、５Ｈに接触することで、上枠５の見込み方向への開閉体２０の移動が規制される。従って、一対のガイド壁５Ｇ、５Ｈは、開閉体２０の移動を規制する上枠５の規制部であり、開閉体２０に接触して、上枠５の見込み方向への開閉体２０の移動を規制する。具体的には、第１ガイド壁５Ｇは、一方の接触部４６に接触して、上枠５の見込み方向の一方側への開閉体２０の移動を規制する。また、第２ガイド壁５Ｈは、他方の接触部４７に接触して、上枠５の見込み方向の他方側への開閉体２０の移動を規制する。
【００５１】
図１１は、第２実施形態の建具２において突起部６０が外れ止め部５４に接触した状態を示す断面図であり、図９と同様に、上枠５を含む建具２の一部を示している。
図示のように、開閉体２０が上枠５の規制部（ガイド壁５Ｇ、５Ｈ）に接触する状態（規制部により開閉体２０の移動が規制された状態）で、開閉体２０の突起部６０は、外れ止め部５４の上方に配置される。
【００５２】
開閉体２０が下枠６から外れたときには、開閉体２０がガイド壁５Ｇ、５Ｈに接触し、ガイド壁５Ｇ、５Ｈにより、上枠５の見込み方向への開閉体２０の移動が規制される。その状態で、突起部６０が外れ止め部５４に引っ掛かる。開閉体２０は、外れ止め部５４とガイド壁５Ｇ、５Ｈにより支えられて上枠５に保持される。ここでは、開閉体２０は、下枠６に対して脱衣室側に外れて、第２ガイド壁５Ｈに接触し、外れ止め部５４と第２ガイド壁５Ｈにより支えられる。
【００５３】
図１２は、図１１の一部を示す断面図であり、上枠５の長手方向に直交する断面を示している。
図示のように、開閉体２０が下枠６から外れた状態で、開閉体２０の接触部４７が上枠５の第２ガイド壁５Ｈに接触し、突起部６０の下面部６２が外れ止め部５４の先端部５６に接触する。第２ガイド壁５Ｈの下端部５Ｋと外れ止め部５４の先端部５６の間隔をＫ３、開閉体２０の接触部４７と下面部６２の先端部６３の間の寸法をＫ４とする。この場合に、Ｋ３はＫ４より小さい（Ｋ３＜Ｋ４）。そのため、第２ガイド壁５Ｈと外れ止め部５４の間において、突起部６０を含む開閉体２０が第２ガイド壁５Ｈと外れ止め部５４の間の部分から抜けるのが抑制される。
【００５４】
開閉体２０が下枠６に対して浴室側に外れたときには、開閉体２０の突起部６０が外れ止め部５４に接触して、開閉体２０が上枠５から外れるのが抑制される。また、開閉体２０の接触部４６が上枠５の第１ガイド壁５Ｇに接触し、開閉体２０が外れ止め部５４と第１ガイド壁５Ｇにより支えられる。
【００５５】
なお、下枠６に、レール６Ｂに替えて、他のガイド部（例えば、一対のガイド壁）を設けてもよい。また、突起部６０を開閉体２０に一体に形成してもよい。上枠５の見込み方向の一方側が浴室側であり、上枠５の見込み方向の他方側が脱衣室側であってもよい。
【００５６】
以上、片引戸を例にとり、建具について説明したが、建具は、他の建具（例えば、引戸、引き違い戸、引き窓、引き違い窓）であってもよい。本発明は、上枠５の長手方向に移動する開閉体２０（例えば、戸、障子、移動体）を備えた種々の建具に適用することができる。また、建具は、浴室の出入口に限定されず、建物の種々の開口部に設置される。
【符号の説明】
【００５７】
１・・・建具、２・・・建具、４・・・枠体、５・・・上枠、６・・・下枠、７・・・縦枠、８・・・縦枠、１０・・・固定体、１１・・・方立、１２・・・保持部、１３・・・ネジ、１４・・・連結部材、１５・・・ネジ孔、１６・・・外れ止め機構、２０・・・開閉体、２１・・・パネル体、２２・・・框体、２３・・・ハンドル、２４・・・上框、２５・・・下框、２６・・・縦框、２７・・・縦框、２８・・・凹部、２９・・・保持部、３０・・・建物、３１・・・ネジ、３２・・・開口縁部、３３・・・タイト材、３４・・・タイト材、３５・・・タイト材、３６・・・タイト材、３７・・・タイト材、３８・・・ネジ、４０・・・溝部、４１・・・第１壁部、４２・・・第２壁部、４３・・・保持部、４４・・・接触部、４５・・・接触部、４６・・・接触部、４７・・・接触部、５０・・・カバー部材、５１・・・上側部、５２・・・取付部、５３・・・覆い部、５４・・・外れ止め部、５５・・・貫通孔、５６・・・先端部、５７・・・中空部、６０・・・突起部、６１・・・ネジ、６２・・・下面部、６３・・・先端部、６４・・・根元部。
【図１】
2018204411.tif 000003
【図２】
2018204411.tif 000004
【図３】
2018204411.tif 000005
【図４】
2018204411.tif 000006
【図５】
2018204411.tif 000007
【図６】
2018204411.tif 000008
【図７】
2018204411.tif 000009
【図８】
2018204411.tif 000010
【図９】
2018204411.tif 000011
【図１０】
2018204411.tif 000012
【図１１】
2018204411.tif 000013
【図１２】
2018204411.tif 000014